(57)【要約】  【課題】  予め登録されている複数のペーパーマガジンに収容されているすべてのプリント用紙の情報を一度に知ることが出来る画像プリント処理装置を提供する。  【解決手段】  制御装置の制御により、機体の装填部に装填されたペーパーマガジンからプリント用紙を引き出して、そのプリント用紙に画像をプリント処理するようにした画像プリント処理装置において、制御装置には、装填部に装填される複数のペーパーマガジン及びこのマガジンに装填されるプリント用紙の各種情報を設定登録するためのマガジン設定登録機能と、マガジン設定登録機能で設定登録された情報に基づいて、装填部に装填されたペーパーマガジン内のプリント用紙の残量を算出するペーパー残量算出機能と、ペーパー残量算出機能で算出された各ペーパーマガジン内のプリント用紙の残量を記憶するペーパー残量記録部と、ペーパー残量記録部に記憶された各マガジン内のプリント用紙の残量をモニターの画面に一覧表示させるためのペーパー残量一覧表示機能とが備えられた。  【選択図】  図３
2006267164.tif 000002
【特許請求の範囲】
【請求項１】
制御装置の制御により、機体の装填部に装填されたペーパーマガジンからプリント用紙を引き出して、そのプリント用紙に画像をプリント処理するようにした画像プリント処理装置において、
制御装置には、装填部に装填される複数のペーパーマガジン及びこのマガジン内に収容されるプリント用紙の各種情報を設定登録するためのマガジン設定登録機能が備えられ、このマガジン設定登録機能で設定登録された複数のペーパーマガジン内のプリント用紙の各種情報を表示装置に一覧表示するようにしていることを特徴とする画像プリント処理装置。
【請求項２】
制御装置には、マガジン設定登録機能で設定登録された情報に基づいて、装填部に装填されたペーパーマガジン内のプリント用紙の残量を算出するペーパー残量算出機能と、ペーパー残量算出機能で算出された各ペーパーマガジン内のプリント用紙の残量を記憶するペーパー残量記録部と、ペーパー残量記録部に記憶された各マガジン内のプリント用紙の残量を表示装置に一覧表示させるためのペーパー残量一覧表示機能とが備えられていることを特徴とする請求項１に記載の画像プリント処理装置。
【請求項３】
複数の画像プリント処理装置における制御装置が通信ラインで接続されて、これら各制御装置のペーパー残量記録部に記憶されるデータを複数の画像プリント処理装置の制御装置が共有するようにしていることを特徴とする請求項１に記載の画像プリント処理装置。
【発明の詳細な説明】
【技術分野】
【０００１】
本発明は、制御装置の制御により、装填部に装填されたペーパーマガジンからプリント用紙を引き出して、そのプリント用紙に画像をプリント処理するようにした画像プリント処理装置に関する。
【背景技術】
【０００２】
一般に、この種の画像プリント処理装置は、現像済フィルムのコマ画像や各種記録メディアに記録された画像データを読み取って各種の画像処理を施すための画像処理機と、画像処理機で処理された画像データにより、印画紙に画像を焼き付けるためのプリンターと、プリンターで画像が焼き付けられた印画紙を現像するためのプロセッサとが備えられ、またプリンターには、ロール状に巻かれた印画紙を収容したペーパーマガジンを任意装填するための装填部が設けられ、この装填部には、プリント処理作業に際して、プリント仕様に応じた印画紙が収容されたペーパーマガジンを任意装填するようにしているのであって、また以上の従来の画像プリント処理装置では、装填部に装填された現在使用中のペーパーマガジン内の印画紙の残量をモニターの画面上に表示するようにしている。
（特許文献１参照）
ところで、以上の画像プリント処理装置では、複数のペーパーマガジンが予め用意されており、プリント処理に際して、複数のペーパーマガジンの中から、プリント仕様に応じたタイプの印画紙が収容されているペーパーマガジンを装填部に装填するようにしているので、プリント処理作業時、装填部に装填されているペーパーマガジン内の印画紙の残量は知ることが出来るにしても、保管中のペーパーマガジン内の印画紙の残量は不明であって、これから装填部に装填して使用を開始しようとするペーパーマガジン内の印画紙の残量は、そのペーパーマガジンを装填部に装填してプリント処理作業を開始した時点でないと知ることが出来ない。
【０００３】
そのため、以上の画像プリント処理装置では、ペーパーマガジンが装填部に装填されて、プリント処理作業が開始された時点でしか印画紙の残量が残り少なっているか否かを知ることが出来ず、印画紙の残量が残り少なっているペーパーマガジンが装填部に装填された場合には、プリント処理作業を中断して、印画紙の詰め替え作業を行なわざるを得ず、プリント処理作業を急いでいる時などには、非常に作業性が悪いものであった。
【０００４】
以上の不具合は、ペーパーマガジンを複数台の画像プリント処理装置で共用している場合に特に生じ易い。
【特許文献１】特開２０００−１６９０１２号
【発明の開示】
【発明が解決しようとする課題】
【０００５】
本発明は、以上の実情に鑑みて開発したものであって、目的とするところは、予め登録されている複数のペーパーマガジンに収容されているすべてのプリント用紙の情報を一度に知ることが出来る画像プリント処理装置を提供することにある。
【課題を解決するための手段】
【０００６】
以上の目的を達成するために、請求項１に記載の発明は、制御装置の制御により、機体の装填部に装填されたペーパーマガジンからプリント用紙を引き出して、そのプリント用紙に画像をプリント処理するようにした画像プリント処理装置において、制御装置には、装填部に装填される複数のペーパーマガジン及びこのマガジン内に収容されるプリント用紙の各種情報を設定登録するためのマガジン設定登録機能が備えられ、このマガジン設定登録機能で設定登録された複数のペーパーマガジン内のプリント用紙の各種情報を表示装置に一覧表示するようにしていることを特徴とするものである。
【０００７】
また請求項２に記載の発明は、請求項１に記載の制御装置に、マガジン設定登録機能で設定登録された情報に基づいて、装填部に装填されたペーパーマガジン内のプリント用紙の残量を算出するペーパー残量算出機能と、ペーパー残量算出機能で算出された各ペーパーマガジン内のプリント用紙の残量を記憶するペーパー残量記録部と、ペーパー残量記録部に記憶された各マガジン内のプリント用紙の残量を表示装置に一覧表示させるためのペーパー残量一覧表示機能とが備えられていることを特徴とするものである。
【０００８】
また請求項３に記載の発明は、請求項１または２に記載の複数の画像プリント処理装置が複数台備えられ、これら各画像処理装置における制御装置が通信ラインで接続されて、これら各制御装置のペーパー残量記録部に記憶されるデータを複数の画像プリント処理装置の制御装置が共有するようにしていることを特徴とするものである。
【発明の効果】
【０００９】
請求項１に記載の発明によれば、表示装置を確認するだけで、複数のマガジンに例えばどのような種類のプリント用紙がそれぞれ収納されているかが容易にわかるので、プリント処理作業を開始するに際して、プリント用紙の種類などを事前に確認することが出来る。
【００１０】
また請求項２に記載の発明によれば、請求項１に記載の発明の効果に加え、例えば、ペーパー残量記録部に記憶された各ペーパーマガジン内のプリント用紙の残量を表示装置に一覧表示させることが出来るので、例えばプリント処理作業を開始するに際して、所定のペーパーマガジンを装填部に装填する前に、これから使おうとするプリント用紙の残量を確認することが出来、残量が不足している場合には、プリント用紙を新しいものに交換した上で、そのペーパーマガジンを装填部に装填して、プリント処理作業を直ちに開始することが出来、従来のように、プリント処理作業を中断してプリント用紙の詰め替え作業などを行なわなければならないような事態を招くことがなく、全体としてプリント処理の作業性が良好となる。
【００１１】
また請求項３に記載の発明によれば、請求項１または２に記載の発明の効果に加え、通信ラインで接続されている画像プリント処理装置の１つで共用のペーパーマガジンを利用した場合でも、共用するペーパーマガジンのプリント用紙の残量を他の画像プリント処理装置の表示装置に一覧表示することが出来る。
【発明を実施するための最良の形態】
【００１２】
図１は、本発明にかかる画像プリント処理装置の一例を概略的に示したものであって、
この画像プリント処理装置１は、
現像済フィルムをセットするためのフィルムマスクユニット２１、このフィルムマスクユニット２１にセットされた現像済フィルムのコマ画像を読み取るためのスキャナ２２、リムーバブルな各種記録メディアに記録された画像データの読み取りを行うための画像データ読み取り装置２３、及びスキャナ２２または画像データ読み取り装置２３で読み取った画像データに主として各種の画像処理を施すための画像処理部２４を搭載した画像処理機２と、
画像処理機２で処理された画像データにより、プリント用紙の一例である印画紙Ｐに画像を焼き付けるためのプリンター３と、
プリンター３で画像が焼き付けられた印画紙を現像するためのプロセッサ４と、これら各種構成機器を制御する制御装置としてのコンピュータから成るコントローラ５とから構成されている。
【００１３】
画像処理機２に搭載されているスキャナ２２は、現像済フィルムをフィルムマスクユニット２１にセットすることにより、光源ユニット２１ａからの光を、フィルムマスクユニット２１にセットされた現像済フィルムに照射して各コマの画像を順次読み取って画像処理部２４に出力するようにしている。
【００１４】
画像処理部２４では、スキャナ２２または読み取り装置２３で読み取られた画像データにコントローラ５を介して各種画像処理を施すようにしている。
【００１５】
コントローラ５には、画像処理ソフトウエア等がインストールされ、またこのコントローラ５に各種情報を入力するためのキーボード５１及びマウス５２と、各種情報を表示するための表示装置としてのモニター５３が接続されている。
【００１６】
そしてスキャナ２２若しくは画像データ読み書き装置２３により読み取られた画像データは、所定の処理プログラムとキーボード５１またはマウス５２により入力されるプリントサイズなどの各種情報に基づいてコントローラ５により適宜処理されて、コントローラ５の記憶部５４に取り込むと共に、順次プリントデータとしてプリンター３に出力するようにしている。
【００１７】
プリンター３は、画像処理機２の画像処理部２４で作成されたプリントデータをプリント用紙としての印画紙Ｐに焼き付けるためのものであり、ロール状に巻かれた印画紙Ｐを収容したペーパーマガジン３１ａ〜３１ｄを任意装填するための２つの装填部３０ａ・３０ｂと、この装填部３０ａ・３０ｂに装填された２つのペーパーマガジン３１ａ・３１ｂのひとつから引き出される印画紙Ｐを搬送するための搬送機構３２と、搬送機構３２で搬送される印画紙Ｐに画像データを露光するための露光機構３３とが機体３０に搭載されている。
【００１８】
装填部３０ａ・３０ｂに装填されるペーパーマガジン３１ａ〜３１ｄは、任意取り外し可能であって、その装填部３０ａ・３０ｂには、各ペーパーマガジン３１ａ〜３１ｄにそれぞれ付与されるマガジンＩＤを読み取るためのセンサー（図示せず）が設けられている。
【００１９】
そしてプリンター３では、コントローラ５から出力されるプリントデータに基づいて露光用データが生成されて、露光機構３３に出力されるようにしている。
【００２０】
プロセッサ４は、プリンター３で画像が焼き付け処理された印画紙Ｐを現像処理するための現像処理機構４１と、現像処理機構４１で現像処理された印画紙Ｐを乾燥するための乾燥処理機構４２と、乾燥処理により完成したプリントを搬出するための搬出機構４３とが備えられている。
【００２１】
尚、以上の画像プリント処理装置では、装填部３０ａ・３０ｂに装填するペーパーマガジンは、４台３１ａ〜３１ｄ用意されている。
【００２２】
また以上の構成から成る画像プリント処理装置１において、コントローラ５のプログラム上には、
装填部３０ａ・３０ｂに装填されるペーパーマガジン３１ａ〜３１ｄ及びこれらペーパーマガジン３１ａ〜３１ｄ内に収容される印画紙Ｐの各種情報、即ち、各ペーパーマガジン３１ａ〜３１ｄに付与するマガジンナンバー、これら各ペーパーマガジン３１ａ〜３１ｄ内に収容する印画紙Ｐの品番・サイズ・全長、各ペーパーマガジン３１ａ〜３１ｄ内に新しい印画紙Ｐを収容した日付などを任意設定登録するためのマガジン設定登録機能５５と、
このマガジン設定登録機能５５で設定登録された情報に基づき、装填部３０ａ・３０ｂに装填したペーパーマガジン３１ａ〜３１ｄから引き出されてプリント処理された印画紙の使用量を随時算出すると共に、算出された使用量を予め設定登録されている印画紙Ｐの全長から減算して、ペーパーマガジン３１ａ〜３１ｄ内の印画紙Ｐの残量を算出するペーパー残量算出機能５６と、
ペーパー残量算出機能５６で算出された各ペーパーマガジン３１ａ〜３１ｄ内の印画紙Ｐの残量を随時記録するペーパー残量記録部５７と、
ペーパー残量記録部５７に随時記録される各ペーパーマガジン３１ａ〜３１ｄ内の印画紙Ｐの残量を、ペーパーマガジンのナンバーとその印画紙の品番及びサイズ、ペーパーマガジン内に収容した日付と共にモニター５３の画面に一覧表示させるためのペーパー残量一覧表示機能５８とが備えられている。
【００２３】
尚、印画紙Ｐの使用量は、搬送機構３２の駆動モータに対する制御動作をチェックすることで把握するようにしており、ペーパーマガジン３１ａ〜３１ｄから印画紙Ｐが引き出されて使用されるに伴い、その残量が随時書き換えられて、最新の残量が常に管理されるようにしている。
【００２４】
またペーパー残量一覧表示機能５８によりモニター５３に表示される図３の一覧表示画面Ｄは、キーボード５１の操作により、モニター５３の画面に呼び出されるようにし、また呼び出された一覧表示画面Ｄ上に表示されている終了機能ボタンＢをマウス５２によりクリックすることで、一覧表示画面Ｄに基づいて行なわれていたペーパー残量確認作業を終了するようにしている。
【００２５】
以上の構成から成る画像プリント処理装置１により、例えば現像済みフィルムの画像のプリント処理作業を行なうには、まず、プリント仕様に対応する印画紙Ｐが収容されたペーパーマガジンを装填部３０ａ・３０ｂに装填する一方、現像済みフィルムをフィルムマスクユニット２１に順次装填して、各フィルム中のコマ画像をスキャナ２２により順番に読み取り、読み取った画像を画像処理部２４で明るさや色調などを任意編集しながらコントローラ５の記憶部５４に取り込む。
【００２６】
そして現像済みフィルム中の画像の取り込み作業が終了した段階で、オペレータは、キーボード５１を介してコントローラ５にプリント指令を出すのであって、これにより、プリンター３で、各コマ画像が所定のペーパーマガジン３１ａ・３１ｂから引き出された印画紙Ｐに焼き付けられた後、プロセッサ４で現像処理されて、所望のプリントが仕上げられるのである。
【００２７】
ところで、以上の画像プリント処理装置１でのプリント処理開始作業前に、オペレータによるキーボード５１操作により、モニター５３に図３に示すペーパー残量一覧表示画面Ｄを呼び出すことで、この画像プリント処理装置１で使用可能な４つのペーパーマガジン３１ａ〜３１ｄにそれぞれ収容されている印画紙Ｐの残量及びそのペーパー使用開始日付が一覧表示される。
【００２８】
従って、例えばプリント処理作業を開始するに際して、ペーパーマガジン３１ａ〜３１ｄを装填部３０ａ・３０ｂに装填する前に、これから使おうとする印画紙Ｐの残量を確認することが出来、残量が不足している場合には、印画紙Ｐを新しいものに交換した上で、そのペーパーマガジン３１ａ〜３１ｄを装填部３０ａ・３０ｂに装填して、プリント処理作業を直ちに開始することが出来るので、従来のように、プリント処理作業を中断して印画紙の詰め替え作業などを行なわなければならないような事態を招くことがなく、全体としてプリント処理の作業性が良好となる。
【００２９】
また以上の画像プリント処理装置１では、プリント処理作業が行なわれていない暇な時に、各ペーパーマガジン３１ａ〜３１ｄの印画紙Ｐの状態を見て、印画紙Ｐの詰め替え作業や早急に発注する必要のある印画紙Ｐのチェックなども容易に行なえる。
【００３０】
以上の実施形態では、本発明にかかる画像プリント処理装置１が一台である場合について説明したが、例えば二台の画像プリント処理装置１が複数のペーパーマガジン３１ａ〜３１ｄを共用している場合には、図４に概略的に示すように、両画像プリント処理装置１のコントローラ５を通信ライン５０で接続して、これら各コントローラ５のペーパー残量記録部５７に記録されるデータを両画像プリント処理装置１で共有させるのが好ましく、以上の構成を採用することで、例えば一方の画像プリント処理装置１で共用のペーパーマガジン３１ａ〜３１ｄを利用した場合でも、共用するペーパーマガジン３１ａ〜３１ｄ内の印画紙Ｐの残量をそれぞれの画像プリント処理装置１のモニター５３に一覧表示することが出来る。
【００３１】
また以上の実施形態では、４つのペーパーマガジン３１ａ〜３１ｄを用意したが、これに限定されるものではなく、例えば５個でも６個でもよい。
【００３２】
また以上の実施形態では、プリント用紙として印画紙を用いたが、これに限定されるものではなく、例えばインクジェット式のプリンターを搭載した画像プリント処理装置では、インクジェット式のプリンターでプリント処理が行なえるプリント用紙を用いる。
【００３３】
また以上の実施形態では、マガジン設定登録機能５５の外に、ペーパー残量算出機能５６と、ペーパー残量記録部５７と、ペーパー残量一覧表示機能５８とをコントローラ５に構築したが、これらペーパー残量算出機能５６、ペーパー残量記録部５７、ペーパー残量一覧表示機能５８は必ずしも必要とせず、マガジン設定登録機能５５で設定登録された複数のペーパーマガジン内のプリント用紙の種類などの各種情報をモニター５３に一覧表示するようにしてもよい。
【図面の簡単な説明】
【００３４】
【図１】本発明にかかる画像プリント処理装置の概略説明図。
【図２】本発明にかかる画像プリント処理装置の構成図。
【図３】モニターに表示される一覧表示画面の説明図。
【図４】本発明にかかる画像プリント処理装置の別の実施形態を示す概略説明図。
【符号の説明】
【００３５】
１      画像プリント処理装置
２２    スキャナ（画像読取装置）
３      プリンター
３０    機体
３０ａ・３０ｂ  装填部
３１ａ〜３１ｄ  ペーパーマガジン
４      プロセッサ
５      コントローラ
５１    キーボード
５２    マウス
５３    モニター（表示装置）
５４    記憶部
５５    マガジン設定登録機能
５６    ペーパー残量算出機能
５７    ペーパー残量記録部
５８    ペーパー残量一覧表示機能
Ｐ      印画紙（プリント用紙）
【図１】
2006267164.tif 000003
【図２】
2006267164.tif 000004
【図３】
2006267164.tif 000005
【図４】
2006267164.tif 000006